(57)【特許請求の範囲】
【請求項１】
無人局への人の入局、退局を管理する無人局管理システムであって、
前記無人局に配設された無線局装置と、監視センタに配設されたセンタ装置とが通信可能に接続され、
前記無線局装置は、入局者の識別情報を読み取る読取手段と、前記無人局の入局ドアの開閉を検知する検知手段と、データ伝送可能に接続され、
前記無線局装置は、前記入局者が入局する際に前記読取手段で読み取られた識別情報が、予め登録された識別情報と一致しない場合には前記センタ装置に警報信号を送信し、予め登録された識別情報と一致する場合には、前記識別情報に基づいて、入局日時と識別情報に対応した氏名、部署とが含まれる入局情報を前記センタ装置に送信するとともに、所定時間内は前記検知手段の検知結果を前記センタ装置に送信せず、所定時間後は前記検知手段の検知結果を前記センタ装置に送信し、
前記センタ装置は、前記入局情報を受信すると、該入局情報に基づいて入局記録をデータベースに記憶する、
ことを特徴とする無人局管理システム。
【請求項２】
前記無線局装置は、前記入局者が退局する際に前記読取手段で読み取られた識別情報が、予め登録された識別情報と一致しない場合には前記センタ装置に警報信号を送信し、予め登録された識別情報と一致する場合には、前記識別情報に基づいて、退局日時と識別情報に対応した氏名、部署とが含まれる退局情報を前記センタ装置に送信するとともに、所定時間内は前記検知手段の検知結果を前記センタ装置に送信しない、
前記センタ装置は、前記退局情報を受信すると、該退局情報に基づいて退局記録を前記データベースに記憶する、
ことを特徴とする請求項１に記載の無人局管理システム。
【請求項３】
前記無線局装置は、前記入局ドアが開状態であると強制的に認識させるロック手段と、データ伝送可能に接続され、
前記無線局装置は、前記ロック手段が作動している場合には、前記検知手段の検知結果を前記センタ装置に送信せず、前記入局者の退局時に前記読取手段で識別情報が読み取られた際に、前記ロック手段の作動が解除されているか否かを判断し、解除されていない場合には警報を発する、
ことを特徴とする請求項１または２のいずれか１項に記載の無人局管理システム。
【発明の詳細な説明】
【技術分野】
【０００１】
この発明は、山上のマイクロ無線中継局などの無人局への人の入局、退局を管理する無人局管理システムに関する。
【背景技術】
【０００２】
平常時は人がいない無線中継局に、点検や保守などの目的のために作業員が入退局する場合、従来、入局ドアの前で作業員が監視センタに電話をして入局の旨を知らせる。そして、入局ドアを開けるとドア開閉スイッチがオンして、アラーム信号が監視センタに通知され、入局ドアを閉じるとドア開閉スイッチがオフして、復旧信号が監視センタに通知される。また、ドア開閉スイッチを強制的にオン状態に維持することができ、これにより、入局ドアを開閉するたびにアラーム信号が監視センタに通知されるのを防止できるようになっている。そして、退局の際には、ドア開閉スイッチの強制的なオン状態を解除し、入局ドアを閉じてから、監視センタに電話をして退局の旨を知らせる、というのが、入退局の一連の流れとなっている。
【０００３】
一方、入室履歴および退室履歴から残留者を検知し、残留者の有無に関する情報を室外の表示手段に表示するとともに、防犯センサの検知信号により警報信号を発報する技術が知られている（例えば、特許文献１参照。）。
【先行技術文献】
【特許文献】
【０００４】
【特許文献１】特開２０１０−２０５０９２号公報
【発明の概要】
【発明が解決しようとする課題】
【０００５】
しかしながら、上記のように、無線中継局への入退局の際に、作業員が監視センタに電話連絡をしなければならいため手間がかかり、しかも、入局ドアが開閉されるたびにアラーム信号や復旧信号が監視センタに通知されるため、監視センタでの監視業務が煩雑となる。一方、ドア開閉スイッチを強制的にオン状態にしたにもかかわらず、退局の際にその解除をし忘れた場合、無線中継局に戻って解除をしなければならず、無駄な時間と労力を費やすことになる。また、特許文献１の技術では、このような問題を解決することはできない。
【０００６】
そこでこの発明は、無人局への入局、退局を円滑かつ適正に管理することが可能な無人局管理システムを提供することを目的とする。
【課題を解決するための手段】
【０００７】
上記課題を解決するために、請求項１の発明は、無人局への人の入局、退局を管理する無人局管理システムであって、前記無人局に配設された無線局装置と、監視センタに配設されたセンタ装置とが通信可能に接続され、前記無線局装置は、入局者の識別情報を読み取る読取手段と、前記無人局の入局ドアの開閉を検知する検知手段と、データ伝送可能に接続され、前記無線局装置は、前記入局者が入局する際に前記読取手段で読み取られた識別情報が、予め登録された識別情報と一致しない場合には前記センタ装置に警報信号を送信し、予め登録された識別情報と一致する場合には、前記識別情報に基づいて、入局日時と識別情報に対応した氏名、部署とが含まれる入局情報を前記センタ装置に送信するとともに、所定時間内は前記検知手段の検知結果を前記センタ装置に送信せず、所定時間後は前記検知手段の検知結果を前記センタ装置に送信し、前記センタ装置は、前記入局情報を受信すると、該入局情報に基づいて入局記録をデータベースに記憶する、ことを特徴とする無人局管理システムである。
【０００８】
この発明によれば、入局者が入局する際に読取手段で識別情報が読み取られ、その識別情報が予め登録された識別情報と一致する場合には、入局日時と識別情報に対応した氏名、部署とが含まれる入局情報がセンタ装置に送信され、センタ装置において入局記録がデータベースに記憶される。また、所定時間後における検知手段の検知結果、つまり入局ドアの開閉状態がセンタ装置に送信される。すなわち、識別情報が読み取られてから所定時間内は、入局ドアが開閉されてもその旨がセンタ装置に送信されない。一方、読み取られた識別情報が予め登録された識別情報と一致しない場合には、センタ装置に警報信号が送信される。
【０００９】
請求項２の発明は、請求項１に記載の無人局管理システムにおいて、前記無線局装置は、前記入局者が退局する際に前記読取手段で読み取られた識別情報が、予め登録された識別情報と一致しない場合には前記センタ装置に警報信号を送信し、予め登録された識別情報と一致する場合には、前記識別情報に基づいて、退局日時と識別情報に対応した氏名、部署とが含まれる退局情報を前記センタ装置に送信するとともに、所定時間内は前記検知手段の検知結果を前記センタ装置に送信しない、前記センタ装置は、前記退局情報を受信すると、該退局情報に基づいて退局記録を前記データベースに記憶する、ことを特徴とする。
【００１０】
この発明によれば、入局者が退局する際に読取手段で識別情報が読み取られ、その識別情報が予め登録された識別情報と一致する場合には、退局日時と識別情報に対応した氏名、部署とが含まれる退局情報がセンタ装置に送信され、センタ装置において退局記録がデータベースに記憶される。また、識別情報が読み取られてから所定時間内は、入局ドアが開閉されてもその旨がセンタ装置に送信されない。一方、読み取られた識別情報が予め登録された識別情報と一致しない場合には、センタ装置に警報信号が送信される。
【００１１】
請求項３の発明は、請求項１または２に記載の無人局管理システムにおいて、前記無線局装置は、前記入局ドアが開状態であると強制的に認識させるロック手段と、データ伝送可能に接続され、前記無線局装置は、前記ロック手段が作動している場合には、前記検知手段の検知結果を前記センタ装置に送信せず、前記入局者の退局時に前記読取手段で識別情報が読み取られた際に、前記ロック手段の作動が解除されているか否かを判断し、解除されていない場合には警報を発する、ことを特徴とする。
【００１２】
この発明によれば、ロック手段が作動している場合には、入局ドアが開閉されてもその旨がセンタ装置に送信されない。また、退局時にロック手段の作動が解除されていない場合、つまり解除をし忘れている場合には、警報が発せられる。
【発明の効果】
【００１３】
請求項１の発明によれば、入局者が入局する際に、その識別情報と予め登録された識別情報とが一致するか否かが判断されて、無線局装置からセンタ装置に入局日時と識別情報に対応した氏名、部署とが含まれる入局情報や警報信号が送信されるため、従来のように電話連絡を行う必要がない。また、この入局情報に基づいてセンタ装置で入局記録が記憶されるため、監視センタの監視員が入局記録を作成する必要がない。さらに、識別情報が読み取られてから所定時間内は、入局ドアが開閉されてもその旨が監視センタに送信されないため、監視業務が煩雑にならない。このようにして、無人局への入局を円滑かつ適正に管理することが可能となる。
【００１４】
同様に、請求項２の発明によれば、入局者が退局する際に、その識別情報と予め登録された識別情報とが一致するか否かが判断されて、無線局装置からセンタ装置に退局日時と識別情報に対応した氏名、部署とが含まれる退局情報や警報信号が送信されるため、従来のように電話連絡を行う必要がない。また、この退局情報に基づいてセンタ装置で退局記録が記憶されるため、監視センタの監視員が退局記録を作成する必要がない。さらに、識別情報が読み取られてから所定時間内は、入局ドアが開閉されてもその旨が監視センタに送信されないため、監視業務が煩雑にならない。このようにして、無人局からの退局を円滑かつ適正に管理することが可能となる。
【００１５】
請求項３の発明によれば、ロック手段が作動している場合には、入局ドアが開閉されてもその旨がセンタ装置に送信されないため、監視業務が煩雑にならない。また、退局時にロック手段の解除をし忘れている場合には、警報が発せられるため、その場で入局者に解除を促すことができる。このため、後で気付いて、無人局に戻ってロック手段を解除しなければならない、という無駄を回避することができる。
【図面の簡単な説明】
【００１６】
【図１】この発明の実施の形態に係る無人局管理システムを示す概略構成図である。
【図２】図１のシステムにおける入局ドアの開閉信号の送信回路を示す図である。
【図３】図１のシステムの無線局装置周辺の構成ブロック図である。
【図４】図１のシステムによる管理パターンを示す図である。
【図５】図１のシステムの入局処理を示すタイミングチャートである。
【図６】図１のシステムの退局処理を示すタイミングチャートである。
【発明を実施するための形態】
【００１７】
以下、この発明を図示の実施の形態に基づいて説明する。
【００１８】
図１は、この発明の実施の形態に係る無人局管理システム１を示す概略構成図である。この無人局管理システム１は、無人の山上無線中継局（無人局）２への入局者Ｍの入局、退局を管理するシステムであり、山上無線中継局２に配設された無線局装置４と、監視センタ３に配設されたセンタ装置５とが、ＰＬＣ（Ｐｏｗｅｒ  Ｌｉｎｅ  Ｃｏｍｍｕｎｉｃａｔｉｏｎ、電力線搬送通信）網を介して通信可能に接続されている。ここで、便宜上１つの山上無線中継局２のみを図示しているが、１つの監視センタ３において複数の山上無線中継局２を監視、管理する場合についても、同様に適用される。
【００１９】
山上無線中継局２には、入局ドア２１の局外側に局外リーダ（読取手段）２２が配設され、局内側に局内リーダ（読取手段）２３が配設されている。これらのリーダ２２、２３は、入局者Ｍが所持しているＩＣカードＭ１から入局者Ｍの識別情報・ＩＤを読み取る装置であり、入局時に局外リーダ２２で読み取り、退局時に局内リーダ２３で読み取るようになっている。また、入局ドア２１を開けるとオンし閉じるとオフすることで、入局ドア２１の開閉を検知する開閉スイッチ（検知手段）２４が設けられている。
【００２０】
さらに、図２に示すように、入局ドア２１が開状態であると強制的に認識させるロックスイッチ（ロック手段）２５が設けられている。すなわち、開閉スイッチ２４と並列にロックスイッチ２５が配設され、後述するように、このロックスイッチ２５をオンすることで、開閉スイッチ２４がオン、オフされても、その都度開閉信号がセンタ装置５に送信されないようになっている。
【００２１】
無線局装置４は、入局ドア２１の近傍に配設され、図３に示すように、インタフェイス４１を介してリーダ２２、２３とデータ伝送可能に接続され、ＤＩ入力部４２を介して開閉スイッチ２４およびロックスイッチ２５とデータ伝送可能に接続されている。そして、リーダ２２、２３で読み取られた識別情報や、開閉スイッチ２４のオン、オフ動作（検知結果）、ロックスイッチ２５のオン、オフ動作が無線局装置４に伝送、入力されるようになっている。
【００２２】
また、ＤＯ出力部４３を介して局外ランプ２６１、局内ランプ２６２が接続され、さらに、タイマスイッチ２７１が接続されている。このタイマスイッチ２７１は、図２に示すようにタイマ２７２に接続され、通常時はオン状態でタイマ２７２が起動するとオフされ、所定時間（例えば３０秒）後にオンされるようになっている。そして、タイマスイッチ２７１がオン状態で開閉スイッチ２４がオンすると、第１のリレー２８１によって第１のリレースイッチ２８２がオンし、第２のリレー２８３によって第２のリレースイッチ２８４がオンして、ドア開信号（開閉信号）が接点信号出力部（情報収集装置４４２への無電圧接点ループ）４４１および図３に示す情報収集装置４４２、伝送装置４５を介してセンタ装置５に送信されるようになっている。一方、開閉スイッチ２４がオフすると、第１のリレースイッチ２８２および第２のリレースイッチ２８４がオフして、ドア閉信号（開閉信号）がセンタ装置５に送信されるようになっている。
【００２３】
また、タイマスイッチ２７１がオフ状態では、開閉スイッチ２４がオン、オフしても、開閉信号がセンタ装置５に送信されないようになっている。同様に、ロックスイッチ２５がオン状態では、開閉スイッチ２４がオン、オフしても、開閉信号がセンタ装置５に送信されないようになっている。すなわち、ロックスイッチ２５がオン、オフされたときのみ、開閉信号がセンタ装置５に送信されるようになっている。
【００２４】
無線局装置４には、図３に示すように、入局が許可されている保守員（入局者Ｍ）の識別情報とその氏名、部署などが予め登録、記憶された保守員データベース４６１を備えている。そして、リーダ２２、２３で読み取られてメモリ４６２に記憶された識別情報と、保守員データベース４６１に予め登録された識別情報とが一致するか否かが照合回路４６３で照合・判断されて、その結果が判定回路４６４に入力されるようになっている。ここで、保守員データベース４６１の情報・データは、作業スケジュール・入局計画などに基づいて、センタ装置５から伝送装置４５およびＰＬＣ伝送装置４７を介して入力、更新されるようになっている。
【００２５】
判定回路４６４は、開閉スイッチ２４とロックスイッチ２５との状態および照合回路４６３の照合結果に基づいて、ランプ２６１、２６２およびタイマ２７２を制御するとともに、ＰＬＣ伝送装置４７および伝送装置４５を介して、センタ装置５に入局情報や退局情報を送信する回路である。
【００２６】
具体的には、図４のケース（モード）１に示すように、入局時に局外リーダ２２で読み取られた識別情報が、保守員データベース４６１の識別情報と一致する場合には、この識別情報に基づく入局情報をセンタ装置５に送信する。ここで、入局情報には、入局日時（読取日時）と識別情報に対応した氏名、部署とが含まれる。
【００２７】
この入局情報の送信と同時に、タイマ２７２を起動する。これにより上記のように、タイマスイッチ２７１がオフされ、所定時間内は開閉スイッチ２４がオン、オフされても、つまり入局ドア２１が開閉しても、開閉信号がセンタ装置５に送信されない。このように、所定時間内は開閉信号を送信しないのは、入局には入局ドア２１の開閉が必須であり、これを監視センタ３に通知する必要性が低く、監視業務が煩雑になるからである。
【００２８】
一方、図４のケース２に示すように、局外リーダ２２で読み取られた識別情報が保守員データベース４６１の識別情報と一致しない場合には、警報信号（アラーム）をセンタ装置５に送信するとともに、局外ランプ２６１を点灯させる。
【００２９】
また、図４のケース３に示すように、退局時に局内リーダ２３で読み取られた識別情報が、保守員データベース４６１の識別情報および入局時に読み取られてメモリ４６２に記憶された識別情報と一致する場合には、この識別情報に基づく退局情報をセンタ装置５に送信する。ここで、退局情報には、退局日時（読取日時）と識別情報に対応した氏名、部署とが含まれる。この退局情報の送信と同時にタイマ２７２を起動し、これにより入局時と同様に、所定時間タイマスイッチ２７１がオフされて、入局ドア２１が開閉しても開閉信号がセンタ装置５に送信されない。このように、所定時間内は開閉信号を送信しないのは、退局には入局ドア２１の開閉が必須であり、これを監視センタ３に通知する必要性が低く、監視業務が煩雑になるからである。
【００３０】
一方、図４のケース４に示すように、局内リーダ２３で読み取られた識別情報が保守員データベース４６１の識別情報などと一致しない場合には、警報信号をセンタ装置５に送信するとともに、局内ランプ２６２を点灯させる。
【００３１】
さらに、図４のケース５に示すように、退局時に局内リーダ２３でＩＣカードＭ１を読み取る際に、ロックスイッチ２５がオン状態（作動が解除されていない）場合には、警報信号をセンタ装置５に送信するとともに、局内ランプ２６２を点灯させる（警報を発する）ものである。
【００３２】
センタ装置５は、主として、監視盤（ディスプレイ）５１と、作業管理データベース（データベース）５２と、コンピュータ本体５３とを備え、無線局装置４から開閉信号や警報信号などを受信すると、それらの信号に基づく情報を監視盤５１に表示する。また、入局情報や退局情報を受信すると、これらの情報に基づいて入局記録や退局記録を作業管理データベース５２に記憶する。ここで、入局記録や退局記録は、入局情報や退局情報そのものであってもよいし、これらの情報に付加情報を加えたり、作業管理データベース５２に予め記憶された作業スケジュールとの対応付けを行ったりしてもよい。
【００３３】
次に、このような構成の無人局管理システム１の作用などについて説明する。
【００３４】
まず、図５に示すように、入局時に局外リーダ２２によって入局者ＭのＩＣカードＭ１から識別情報が読み取られ（ステップＳ１）、この識別情報が、保守員データベース４６１の識別情報と一致しない場合（ステップＳ２で「ＮＧ」の場合）には、局外ランプ２６１が点灯される（ステップＳ３）とともに、警報信号（アラーム）がセンタ装置５に送信される（ステップＳ４）。これにより、センタ装置５の監視盤５１に警報情報が表示され、山上無線中継局２に不審者が侵入するおそれがあることを、監視センタ３で知得可能となる。
【００３５】
一方、局外リーダ２２で読み取られた識別情報と保守員データベース４６１の識別情報とが一致する場合（ステップＳ２で「ＯＫ」の場合）には、タイマ２７２が起動される（ステップＳ５）とともに、上記のような入局情報がセンタ装置５に送信される（ステップＳ６）。これを受けて、山上無線中継局２に入局者Ｍが入局した旨がセンタ装置５の監視盤５１に表示されるとともに、上記のような入局記録が作業管理データベース５２に記憶される（ステップＳ７）。
【００３６】
その後、タイマ２７２が起動している所定時間内で入局ドア２１が開閉されても（ステップＳ８）、センタ装置５には開閉信号が送信されず、タイマ２７２が終了し（ステップＳ９）、その後入局ドア２１が開閉されると（ステップＳ１０）、開閉信号がセンタ装置５に送信される（ステップＳ１１）。これを受けて、山上無線中継局２の入局ドア２１が開けられ、または閉じられたことがセンタ装置５の監視盤５１に表示される。
【００３７】
一方、作業などのために頻繁に山上無線中継局２に出入りする際に、ロックスイッチ２５がオン・作動されると、オフ・解除されるまでは、開閉スイッチ２４がオン、オフしても、つまり入局ドア２１が開閉しても、開閉信号がセンタ装置５に送信されない。
【００３８】
次に、図６に示すように、退局時に局内リーダ２３によって入局者ＭのＩＣカードＭ１から識別情報が読み取られ（ステップＳ２１）、この識別情報が、保守員データベース４６１およびメモリ４６２の識別情報と一致しない場合（ステップＳ２２で「ＮＧ」の場合）には、局内ランプ２６２が点灯される（ステップＳ２３）とともに、警報信号（アラーム）がセンタ装置５に送信される（ステップＳ２４）。これにより、センタ装置５の監視盤５１に警報情報が表示され、山上無線中継局２に不審者が侵入したおそれがあることを、監視センタ３で知得可能となる。
【００３９】
一方、局内リーダ２３で読み取られた識別情報と保守員データベース４６１の識別情報などとが一致する場合（ステップＳ２２で「ＯＫ」の場合）には、ロックスイッチ２５の作動（ロック）が解除されているか否かが判断される（ステップＳ２５）。そして、解除されていない場合には、上記のように警報信号がセンタ装置５に送信されるとともに、局内ランプ２６２が点灯される（ステップＳ２６）。これにより、入局者Ｍに対して注意が喚起され、ロックスイッチ２５の解除が促される。
【００４０】
次に、タイマ２７２が起動される（ステップＳ２７）とともに、上記のような退局情報がセンタ装置５に送信される（ステップＳ２８）。これを受けて、山上無線中継局２から入局者Ｍが退局した旨がセンタ装置５の監視盤５１に表示されるとともに、上記のような退局記録が作業管理データベース５２に記憶される（ステップＳ２９）。
【００４１】
その後、タイマ２７２が起動している所定時間内で入局ドア２１が開閉されても（ステップＳ３０）、センタ装置５には開閉信号が送信されず、タイマ２７２が終了する（ステップＳ３１）ものである。
【００４２】
以上のように、この無人局管理システム１によれば、入局者Ｍが山上無線中継局２に入局する際に、その識別情報と予め登録された識別情報とが一致する場合には、無線局装置４からセンタ装置５に入局日時と識別情報に対応した氏名、部署とが含まれる入局情報が送信されるため、従来のように電話連絡を行う必要がなく、入局者Ｍや監視センタ３の監視員の負担を軽減することができる。一方、識別情報が一致しない場合には、局外ランプ２６１が点灯されるとともに、センタ装置５に警報信号が送信されるため、不審者の侵入を監視、防止することができる。
【００４３】
また、無線局装置４からの入局日時と識別情報に対応した氏名、部署とが含まれる入局情報に基づいてセンタ装置５で入局記録が記憶されるため、監視員が入局記録を作成する必要がない。さらに、識別情報が読み取られてから所定時間内は、入局ドア２１が開閉されてもその旨が監視センタ３に送信されないため、監視業務が煩雑にならない。このようにして、山上無線中継局２への入局を円滑かつ適正に管理することが可能となる。
【００４４】
同様に、入局者Ｍが山上無線中継局２から退局する際に、その識別情報と予め登録・記憶された識別情報とが一致する場合には、無線局装置４からセンタ装置５に退局情報が送信されるため、従来のように電話連絡を行う必要がなく、入局者Ｍや監視センタ３の監視員の負担を軽減することができる。一方、識別情報が一致しない場合には、局内ランプ２６２が点灯されるとともに、センタ装置５に警報信号が送信されるため、不審者の侵入を監視、防止することができる。
【００４５】
また、無線局装置４からの退局情報に基づいてセンタ装置５で退局記録が記憶されるため、監視員が退局記録を作成する必要がない。さらに、識別情報が読み取られてから所定時間内は、入局ドア２１が開閉されてもその旨が監視センタ３に送信されないため、監視業務が煩雑にならない。このようにして、山上無線中継局２からの退局を円滑かつ適正に管理することが可能となる。
【００４６】
一方、入局してから所定時間後は、入局ドア２１が開閉されると開閉信号がセンタ装置５に送信されて、開閉の旨が監視盤５１に表示されるため、山上無線中継局２への人の出入りを監視センタ３で監視することができる。さらに、ロックスイッチ２５が作動している場合には、入局ドア２１が開閉されてもその旨が監視センタ３に送信されないため、監視業務が煩雑にならない。また、退局時にロックスイッチ２５の解除をし忘れている場合には、警報信号がセンタ装置５に送信され、かつ局内ランプ２６２が点灯されるため、その場で入局者Ｍに解除を促すことができる。このため、後で気付いて、山上無線中継局２に戻ってロックスイッチ２５を解除しなければならない、という無駄を回避することができるものである。
【００４７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ＩＣカードＭ１から入局者Ｍの識別情報を読み取っているが、入局者Ｍの指紋や顔などの識別情報を読み取ってもよい。また、２つのリーダ２２、２３を配設しているが、１つのリーダのみを配設し、最初の読取時を入局と判断し、次の読取時を退局と判断するようにしてもよい。
【００４８】
さらに、作業者の作業スケジュールを管理するサーバから作業件名、作業内容などを入手して、入局情報に作業件名、作業内容などを含めてもよい。一方、入局情報に含まれる入局者Ｍの氏名と、作業管理データベース５２の作業スケジュールに記憶されている作業名とを照合して、入局の可否を判断するようにしてもよい。
【符号の説明】
【００４９】
１        無人局管理システム
２        山上無線中継局（無人局）
２１      入局ドア
２２      局外リーダ（読取手段）
２３      局内リーダ（読取手段）
２４      開閉スイッチ（検知手段）
２５      ロックスイッチ（ロック手段）
２６１    局外ランプ
２６２    局内ランプ
３        監視センタ
４        無線局装置
５        センタ装置
５１      監視盤
５２      作業管理データベース（データベース）
５３      コンピュータ本体
Ｍ        入局者
Ｍ１      ＩＣカード
【図１】
0005475027.tif 000002
【図２】
0005475027.tif 000003
【図３】
0005475027.tif 000004
【図４】
0005475027.tif 000005
【図５】
0005475027.tif 000006
【図６】
0005475027.tif 000007